(57)【要約】【課題】  連結駒をバンド連結方向に沿って１本の帯状に連続させて見せることができ、これによりデザイン性に優れたバンドを提供する。【解決手段】  一対の側壁部４を連結する連結部５の両側に駒装着部６、７を有する駒体１と、この駒体１の駒装着部６とこれに隣接する他の駒体１の駒装着部７との間にその両方に跨って配置される連結駒２と、この連結駒２を駒体１に取り付けて連結するピン部材３とを備え、連結駒２の側部に、駒体１の連結部５を覆うと共に、ピン部材３を中心とする連結駒２の回転を規制する突出部８を設けた。従って、連結駒２を駒体１に取り付けて順次連結する際に、駒体１がバンド幅方向に互いに対向する一対の側壁部４を連結する連結部５を有する構成であっても、連結駒２の突出部８が駒体１の連結部５を覆って隠すことができる。【選択図】        図３
2012065756.tif 000002
【特許請求の範囲】
【請求項１】
バンド幅方向に互いに対向する一対の側壁部およびこの一対の側壁部を連結する連結部を有し、前記バンド幅方向と直交するバンド連結方向の両側に駒装着部が設けられた駒体と、
この駒体の前記駒装着部とこれに隣接する他の駒体の駒装着部との間にその両方に跨って配置される連結駒と、
この連結駒の前記バンド連結方向の両側に前記バンド幅方向に貫通して両端部が前記駒体の前記一対の側壁部にそれぞれ係止されることにより、前記駒体と前記連結駒とを連結するピン部材とを備えたバンドにおいて、
前記連結駒の前記バンド連結方向の側部には、前記駒体の前記連結部を覆うと共に、前記ピン部材を中心とする前記連結駒の回転を規制する突出部が設けられていることを特徴とするバンド。
【請求項２】
前記駒体の前記連結部は、前記一対の側壁部の互いに対向する内面において、前記バンド連結方向のほぼ中間部に位置し、且つ前記連結駒の表裏面方向における裏面側に位置する箇所に設けられており、前記連結駒の前記突起部は、前記駒体の前記連結部の表面に配置されることを特徴とする請求項１に記載のバンド。
【請求項３】
前記駒体の前記連結部は、前記一対の側壁部の互いに対向する内面において、前記バンド連結方向のほぼ中間部に位置し、且つ前記連結駒の表裏面方向におけるほぼ中間部に位置する箇所に設けられており、前記連結駒の前記突起部は、前記駒体の前記連結部の表裏両面に配置されることを特徴とする請求項１に記載のバンド。
【請求項４】
前記駒体は金属で形成されており、前記連結駒は合成樹脂で形成されていることを特徴とする請求項１〜請求項３のいずれかに記載のバンド。
【発明の詳細な説明】
【技術分野】
【０００１】
この発明は、腕に装着されて使用する腕時計などに用いられるバンドに関する。
【背景技術】
【０００２】
従来、腕時計などに用いられるバンドにおいては、特許文献１に記載されているように、連結駒を駒体に取り付けて順次連結するために、駒体のバンド連結方向における両側に駒装着部を設け、この駒体の駒装着部とこれに隣接する他の駒体の駒装着部との間にその両方に跨って連結駒を配置し、この連結駒のバンド連結方向の両側にピン部材をバンド連結方向と直交するバンド幅方向に貫通させて、ピン部材の両端部を駒体にそれぞれ係止させることにより、駒体と連結駒とを順次連結するように構成されたものが知られている。
【先行技術文献】
【特許文献】
【０００３】
【特許文献１】特開２００５−３４２９３号公報
【発明の概要】
【発明が解決しようとする課題】
【０００４】
しかしながら、このような従来のバンドでは、駒体が、バンド幅方向に互いに対向する一対の側壁部と、この一対の側壁部を連結する連結部とを有し、バンド連結方向の両側に駒装着部を設けることにより、全体が平面的に見てエ字形状に形成された構成であるから、連結駒を駒体によって順次連結した際に、互いに隣接する各連結駒の間から駒体の連結部が露呈するため、この駒体の連結部によって連結駒がバンド連結方向に沿って１本の帯状に連続して見えず、バンドとしてのデザイン性に欠けるという問題がある。
【０００５】
この発明が解決しようとする課題は、連結駒をバンド連結方向に沿って１本の帯状に連続させて見せることができ、これによりデザイン性に優れたバンドを提供することである。
【課題を解決するための手段】
【０００６】
この発明は、上記課題を解決するために、次のような構成要素を備えている。
請求項１に記載の発明は、バンド幅方向に互いに対向する一対の側壁部およびこの一対の側壁部を連結する連結部を有し、前記バンド幅方向と直交するバンド連結方向の両側に駒装着部が設けられた駒体と、この駒体の前記駒装着部とこれに隣接する他の駒体の駒装着部との間にその両方に跨って配置される連結駒と、この連結駒の前記バンド連結方向の両側に前記バンド幅方向に貫通して両端部が前記駒体の前記一対の側壁部にそれぞれ係止されることにより、前記駒体と前記連結駒とを連結するピン部材とを備えたバンドにおいて、前記連結駒の前記バンド連結方向の側部には、前記駒体の前記連結部を覆うと共に、前記ピン部材を中心とする前記連結駒の回転を規制する突出部が設けられていることを特徴とするバンドである。
【０００７】
請求項２に記載の発明は、前記駒体の前記連結部が、前記一対の側壁部の互いに対向する内面において、前記バンド連結方向のほぼ中間部に位置し、且つ前記連結駒の表裏面方向における裏面側に位置する箇所に設けられており、前記連結駒の前記突起部は、前記駒体の前記連結部の表面に配置されることを特徴とする請求項１に記載のバンドである。
【０００８】
請求項３に記載の発明は、前記駒体の前記連結部が、前記一対の側壁部の互いに対向する内面において、前記バンド連結方向のほぼ中間部に位置し、且つ前記連結駒の表裏面方向におけるほぼ中間部に位置する箇所に設けられており、前記連結駒の前記突起部は、前記駒体の前記連結部の表裏両面に配置されることを特徴とする請求項１に記載のバンドである。
【０００９】
請求項４に記載の発明は、前記駒体が金属で形成されており、前記連結駒は合成樹脂で形成されていることを特徴とする請求項１〜請求項３のいずれかに記載のバンドである。
【発明の効果】
【００１０】
この発明によれば、連結駒を駒体に取り付けて順次連結する際に、駒体が、バンド幅方向に互いに対向する一対の側壁部と、この一対の側壁部を連結する連結部とを有する構成であっても、連結駒の突出部によって駒体の連結部を隠すことができる。このため、連結駒が駒体に取り付けられて順次連結された際に、連結駒をバンド連結方向に沿って１本の帯状に連続させた状態で見せることができ、これによりデザイン性に優れたものを提供することができる。
【図面の簡単な説明】
【００１１】
【図１】この発明を腕時計バンドに適用した実施形態１を示した斜視図である。
【図２】図１に示された腕時計バンドの一部を分解して示した斜視図である。
【図３】図２に示された腕時計バンドの一部において、駒体と連結駒とピン部材との各部品に分解した状態を示した拡大斜視図である。
【図４】図２に示された腕時計バンドの一部において駒体と連結駒とを示した拡大平面図である。
【図５】図４に示された腕時計バンドの一部のＡ−Ａ矢視における拡大断面図である。
【図６】図４に示された駒体を示し、（ａ）はその拡大平面図、（ｂ）はそのＢ−Ｂ矢視における拡大断面図である。
【図７】図４に示された連結駒を示し、（ａ）はその拡大平面図、（ｂ）はそのＣ−Ｃ矢視における拡大断面図である。
【図８】図３に示されたピン部材を一部破断して示した拡大図である。
【図９】この発明を腕時計バンドに適用した実施形態２において、その一部である駒体と連結駒とを示した拡大平面図である。
【図１０】図９に示された腕時計バンドの一部のＤ−Ｄ矢視における拡大断面図である。
【図１１】図９に示された駒体を示し、（ａ）はその拡大平面図、（ｂ）はそのＥ−Ｅ矢視における拡大断面図である。
【図１２】図９に示された連結駒を示し、（ａ）はその拡大平面図、（ｂ）はそのＦ−Ｆ矢視における拡大断面図である。
【発明を実施するための形態】
【００１２】
（実施形態１）
以下、図１〜図８を参照して、この発明を腕時計バンドに適用した実施形態１について説明する。
この腕時計バンドは、腕時計ケース（図示せず）に取り付けられるものであり、図１〜図３に示すように、複数の駒体１と、この複数の駒体１の各間にそれぞれ配置される複数の連結駒２と、この複数の連結駒２をそれぞれ駒体１に取り付けるための複数のピン部材３とを備えている。
【００１３】
駒体１は、図１〜図６に示すように、バンドの長手方向であるバンド連結方向と直交するバンド幅方向に互いに対向する一対の側壁部４と、この一対の側壁部４を連結する連結部５とを有し、図３および図６（ａ）に示すように、全体が平面的に見てエ字形状に形成されている。これにより、駒体１は、バンド連結方向の両側に中空状の駒装着部６、７が連結部５を挟んで設けられた構成になっている。この場合、一対の側壁部４と連結部５とは、ステンレスなどの金属によって一体的に形成されている。
【００１４】
この一対の側壁部４のバンド連結方向における両端部には、図３に示すように、ピン部材３を係止するための係止孔４ａ、４ｂがそれぞれ互いに対向して設けられている。また、連結部５は、図６（ａ）および図６（ｂ）に示すように、一対の側壁部４の互いに対向する内面におけるバンド連結方向のほぼ中間部に位置し、且つこの一対の側壁部４の各内面における上下方向（つまり連結駒２の厚み方向）である連結駒２の表裏面方向の裏面側（図６（ｂ）では下側）に位置する箇所に設けられている。
【００１５】
さらに、駒体１の駒装着部６、７のうち、一方の駒装着部６は、図６（ａ）および図６（ｂ）に示すように、連結部５を境にして、バンド連結方向における右側に位置している。この駒装着部６には、一対の側壁部４の各右側に位置して互いに対向して設けられた右側の各係止孔４ａが位置している。また、他方の駒装着部７には、連結部５を境にして、バンド連結方向における左側に位置している。この駒装着部７は、一対の側壁部４の各左側に位置して互いに対向して設けられた左側の各係止孔４ｂが位置している。
【００１６】
一方、連結駒２は、ウレタン樹脂などの合成樹脂からなり、図７（ａ）および図７（ｂ）に示すように、全体が上側に向けて緩やかに湾曲するほぼ正方形の平板状に形成されている。この連結駒２は、図２〜図５に示すように、駒体１の一方の駒装着部６とこれに隣接する他の駒体１の他方の駒装着部７との間に、その両方に跨って配置されるように構成されている。
【００１７】
この連結駒２は、図４および図５に示すように、その厚みが駒体１の一対の側壁部４の上下方向の高さとほぼ同じ大きさに形成されている。また、この連結駒２は、バンド幅方向の長さが、駒体１の一対の側壁部４における内面間の長さとほぼ同じか、それよりも少し短く形成されている。さらに、この連結駒２は、バンドの連結方向の長さが、駒体１の一対の側壁部４におけるバンドの連結方向の長さとほぼ同じかそれよりも少し短く形成されている。
【００１８】
この場合、連結駒２のバンド連結方向における両端部には、図３および図７（ｂ）に示すように、ピン部材３が貫通する貫通孔２ａ、２ｂがバンド幅方向に沿ってそれぞれ設けられている。この貫通孔２ａ、２ｂのうち、一方の貫通孔２ａは、連結駒２のバンド連結方向における左側部（図７（ｂ）はほぼ中間部）に設けられている。また、他方の貫通孔２ｂは、連結駒２のバンド連結方向における右側部に設けられている。
【００１９】
これにより、一方の貫通孔２ａは、図４および図５に示すように、連結駒２が駒体１の一方の駒装着部６とこれに隣接する他の駒体１の他方の駒装着部７との間に、その両方に跨って配置された際に、一方の駒装着部６の係止孔４ａに対応するように設けられている。また、他方の貫通孔２ｂは、連結駒２が駒体１の一方の駒装着部６とこれに隣接する他の駒体１の他方の駒装着部７との間に、その両方に跨って配置された際に、他の駒体１の他方の駒装着部７の係止孔４ｂに対応するように設けられている。
【００２０】
また、この連結駒２におけるバンド連結方向の一側部には、図４および図５に示すように、駒体１の連結部５を覆うと共に、ピン部材３を中心とする連結駒２の回転を規制するための突出部８が設けられている。すなわち、この突出部８は、図５および図７（ｂ）に示すように、連結駒２のバンド連結方向における左側に位置する端部の上部から左側に向けて突出して形成されている。
【００２１】
この場合、突出部８は、バンド連結方向における突出長さが、駒体１の連結部５におけるバンド連結方向の長さとほぼ同じ長さに形成されている。これにより、突出部８は、図４および図５に示すように、連結駒２が駒体１の一方の駒装着部６とこれに隣接する他の駒体１の他方の駒装着部７との間に配置された際に、駒体１の連結部５の上面である表面に配置されるように構成されている。
【００２２】
このため、この連結駒２の突起部８は、図５に示すように、連結部５の上面である表面を覆って配置されることにより、ピン部材３を中心とする連結駒２の回転を規制するように構成されている。この場合、突出部８の下側に位置する連結駒２の端面２ｃは、図５に示すように、連結駒２が駒体１の一方の駒装着部６とこれに隣接する他の駒体１の他方の駒装着部７との間に配置された際に、駒体１の一方の駒装着部６に位置する連結部５の端面５ａに接触または接近し、これによってもピン部材３を中心とする連結駒２の回転を規制するように構成されている。
【００２３】
ところで、ピン部材３は、ばね棒であり、図８に示すように、パイプ３ａと、このパイプ３ａ内に設けられたコイルばね３ｂと、パイプ３ａの両端部にそれぞれ出没可能に設けられたピン突起部３ｃとを備えている。この場合、パイプ３ａは、連結駒の貫通孔２ａ、２ｂ内に挿入するものであり、その長さが連結駒２のバンド幅方向の長さと同じか、それよりも少し短く形成されている。
【００２４】
コイルばね３ｂは、図８に示すように、ピン突起部３ｃをパイプ３ａ内から両側の外部に向けて押し出す方向に付勢するように構成されている。ピン突起部３ｃは、コイルばね３ｂのばね力によってパイプ３ａ内から押し出された際に、駒体１の一対の側壁部４にそれぞれ設けられた係止孔４ａ、４ｂに挿脱可能に挿入するものであり、側壁部４の係止孔４ａ、４ｂとほぼ同じ長さに形成されている。
【００２５】
なお、この腕時計バンドは、図１に示すように、両端部に位置する連結駒２が腕時計ケース（図示せず）のバンド取付部にそれぞれ取り付けられるように構成されている。また、この腕時計バンドは、互いに対向する端部の連結駒２がバンド連結部材９によって分離可能に連結されるように構成されている。これにより、腕時計バンドは、バンド連結部材９によって互いに対向する端部の連結駒２を分離させて離し、この状態で腕を挿入させてバンド連結部材９によって互いに対向する端部の連結駒２を引き寄せて連結することにより、腕に装着されるように構成されている
【００２６】
次に、このような腕時計バンドを組み立てる場合について説明する。
この場合には、まず、図３において、ピン部材３を連結駒２の各貫通孔２ａ、２ｂにそれぞれ挿入する。このときには、ピン部材３のパイプ３ａを連結駒２の貫通孔２ａ、２ｂにそれぞれ挿入すると、ピン突起部３ｃがコイルばね３ｂのばね力によってパイプ３ａ内から押し出され、連結駒２の貫通孔２ａ、２ｂからそれぞれ外部に突出する。
【００２７】
この後、図４および図５に示すように、ピン部材３が取り付けられた連結駒２を、駒体１の一方の駒装着部６とこれに隣接する他の駒体１の他方の駒装着部７との間に、その両方に跨って配置する。このときには、ピン部材３のピン突起部３ｃをコイルばね３ｂのばね力に抗してパイプ３ａ内に押し込んだ状態で、駒体１の一方の駒装着部６とこれに隣接する他の駒体１の他方の駒装着部７との間に配置する。
【００２８】
そして、連結駒２に取り付けられたピン部材３が駒体１の一方の駒装着部６に位置する右側の各係止孔４ａに対応すると、図４および図５に示すように、ピン部材３のピン突起部３ｃがコイルばね３ｂのばね力によってパイプ３ａ内から押し出されて、駒体１の一対の側壁部４に互いに対向して設けられた右側の各係止孔４ａ内に挿入する。これにより、連結駒２が駒体１に取り付けられる。
【００２９】
このときには、図５に示すように、連結駒２におけるバンド連結方向の一側部に設けられた突出部８が駒体１の連結部５の上面に配置される。このため、駒体１の連結部５が連結駒２の突出部８によって覆われて連結駒２の上面側である表面側に露出することがない。また、このときには、図５に示すように、突出部８の下側に位置する連結駒２の端面２ｃが、駒体１の一方の駒装着部６に位置する連結部５の端面５ａに接触または接近する。
【００３０】
この状態では、図５に示すように、連結駒２の突出部８が駒体１の連結部５の上面に配置されていることにより、ピン部材３を中心する連結駒２の回転が規制される。また、突出部８の下側に位置する連結駒２の端面２ｃが駒体１の一方の駒装着部６に位置する連結部５の端面５ａに接触または接近していることによっても、ピン部材３を中心する連結駒２の回転が規制される。
【００３１】
また、このときには、ピン部材３が取り付けられた連結駒２が、駒体１の一方の駒装着部６とこれに隣接する他の駒体１の他方の駒装着部７との間に、その両方に跨って配置されることにより、ピン部材３によって連結駒２が他の駒体１に取り付けられる。すなわち、連結駒２に取り付けられたピン部材３が他の駒体１の他方の駒装着部７に位置する左側の各係止孔４ｂに対応することにより、ピン部材３のピン突起部３ｃが他の駒体１の一対の側壁部４に互いに対向して設けられた左側の各係止孔４ｂ内に挿入する。
【００３２】
これにより、連結駒２がピン部材３によって、駒体１の一方の駒装着部６とこれに隣接する他の駒体１とに取り付けられる。このようにして、複数の連結駒２を複数のピン部材３によって複数の駒体１に順次取り付けることにより、複数の連結駒２がバンド連結方向に沿って順次連結される。これにより、図１に示すように、腕時計バンドが組み立てられる。
【００３３】
このように、この腕時計バンドによれば、一対の側壁部４を連結する連結部５の両側に駒装着部６、７を有する駒体１と、この駒体１の駒装着部６とこれに隣接する他の駒体１の駒装着部７との間にその両方に跨って配置される連結駒２と、この連結駒２を駒体１に取り付けて連結するピン部材３とを備え、連結駒２のバンド連結方向の側部に、駒体１の連結部５を覆うと共に、ピン部材３を中心とする連結駒２の回転を規制する突出部８を設けた構成であるから、連結駒２をバンド連結方向に沿って１本の帯状に連続させて見せることができ、これによりデザイン性に優れたものを提供することができる。
【００３４】
すなわち、この腕時計バンドでは、連結駒２を駒体１にピン部材３によって取り付けて順次連結する際に、駒体１が、バンド幅方向に互いに対向する一対の側壁部４を連結する連結部５を有する構成であっても、連結駒２の突出部８が駒体１の連結部５の上面に配置されることにより、連結駒２の突出部８によって駒体１の連結部５を覆うことができ、これにより連結駒２の突出部８によって駒体１の連結部８を隠すことができる。このため、連結駒２が駒体１に取り付けられて順次連結された際に、連結駒２をバンド連結方向に沿って１本の帯状に連続させた状態で見せることができ、これによりデザイン性に優れたものを提供することができる。
【００３５】
この場合、駒体１の連結部５は、一対の側壁部４の互いに対向する内面において、バンド連結方向のほぼ中間部に位置し、且つ連結駒２の表裏面方向における裏面側に位置する箇所に設けられており、連結駒２の突起部８は、駒体１の連結部５の上面である表面に配置される構成であることにより、連結駒２が駒体１に取り付けられて順次連結された際に、連結駒２の突出部８によって駒体１の連結部５の上面である表面を確実に且つ良好に覆うことができ、これにより連結駒２の突出部８によって駒体１の連結部５が連結駒２の上面側である表面側から見えないように、駒体１の連結部５を確実に且つ良好に隠すことができる。
【００３６】
（実施形態２）
次に、図９〜図１２を参照して、この発明を腕時計バンドに適用した実施形態２について説明する。なお、図１〜図８に示された実施形態１と同一部分には同一符号を付して説明する。
この腕時計バンドは、図９および図１０に示すように、駒体１の連結部１０が実施形態１と異なる位置に設けられ、これに伴って連結駒２の突出部１１、１２が実施形態１と異なる構成になっており、これ以外は実施形態１とほぼ同じ構成になっている。
【００３７】
すなわち、駒体１の連結部１０は、図１１（ａ）および図１１（ｂ）に示すように、一対の側壁部４の互いに対向する内面におけるバンド連結方向のほぼ中間部に位置し、且つこの一対の側壁部４の各内面における上下方向（つまり連結駒２の厚み方向）である連結駒２の表裏面方向におけるほぼ中間部に位置する箇所に設けられている。この場合にも、駒体１は、ステンレスなどの金属によって形成されている。
【００３８】
また、連結駒２の突出部１１、１２は、図１２（ａ）および図１２（ｂ）に示すように、連結駒２におけるバンド連結方向の一側部（図１２（ｂ）では左側）の上下部にそれぞれ設けられ、図１０に示すように、駒体１の連結部１０を上下に挟み付けて覆うと共に、ピン部材３を中心とする連結駒２の回転を規制するように構成されている。
【００３９】
すなわち、この突出部１１、１２は、図１０および図１２（ｂ）に示すように、連結駒２のバンド連結方向における左側に位置する端部の上部と下部とから、その左側に向けてそれぞれ突出して形成されている。この場合、突出部１１、１２は、バンド連結方向における突出長さが、駒体１の連結部１０におけるバンド連結方向の長さとほぼ同じ長さに形成されている。
【００４０】
これにより、突出部１１、１２は、図９および図１０に示すように、連結駒２が駒体１の一方の駒装着部６とこれに隣接する他の駒体１の他方の駒装着部７との間に配置された際に、駒体１の連結部１０の上面である表面と下面である裏面との両面にそれぞれ配置されるように構成されている。
【００４１】
このため、この連結駒２の突起部１１、１２は、図１０に示すように、駒体１の連結部１０を上下に挟み付けた状態で、連結部１０の上下面である表裏両面を覆って配置されることにより、ピン部材３を中心とする連結駒２の回転を規制するように構成されている。この場合にも、連結駒２はウレタン樹脂などの合成樹脂によって形成されている。
【００４２】
このような腕時計バンドによれば、実施形態１と同様の作用効果があるほか、駒体１の連結部１０が一対の側壁部４の互いに対向する内面において、バンド連結方向のほぼ中間部に位置し、且つ連結駒２の表裏面方向（上下方向）におけるほぼ中間部に位置する箇所に設けられており、連結駒２の突起部１１が駒体１の連結部１０の表裏両面に配置される構成であるから、連結駒２が駒体１に取り付けられて順次連結された際に、連結駒２の突出部１１が駒体１の連結部１０の上下面である表裏両面を覆うことができる。
【００４３】
このため、この腕時計バンドでは、連結駒２の突出部１１によって駒体１の連結部１０が連結駒２の上面である表面側および下面である裏面側の両方から見えないように、駒体１の連結部１０を確実に且つ良好に隠すことができる。これにより、連結駒２が駒体１に取り付けられて順次連結された際に、表裏両面から見ても、連結駒２をバンド連結方向に沿って１本の帯状に連続させた状態で見せることができ、このため実施形態１よりも、より一層、デザイン性に優れたものを提供することができる。
【００４４】
なお、上述した実施形態１、２では、駒体１をステンレスなどの金属で形成した場合について述べたが、必ずしも金属である必要はなく、ウレタン樹脂などの合成樹脂で形成しても良い。また、上述した実施形態１、２では、連結駒２をウレタン樹脂などの合成樹脂で形成した場合について述べたが、これに限らず、ステンレスなどの金属で形成しても良い。
【００４５】
また、上述した実施形態１、２では、腕時計バンドに適用した場合について述べたが、必ずしも腕時計バンドである必要はなく、腕に装着して使用するものであれば、腕装着型の脈拍計や血圧計、あるいは腕輪などにも適用することができるほか、必ずしも腕に装着して使用するものである必要もなく、バンドとして使用できるものであれば、どのようなものにも適用することができる。
【符号の説明】
【００４６】
１  駒体
２  連結駒
２ａ、２ｂ  貫通孔
３  ピン部材
３ａ  パイプ
３ｂ  コイルばね
３ｃ  ピン突起部
４  一対の側壁部
４ａ、４ｂ  係止孔
５、１０  連結部
６  一方の駒装着部
７  他方の駒装着部
８、１１、１２  突出部
【図１】
2012065756.tif 000003
【図２】
2012065756.tif 000004
【図３】
2012065756.tif 000005
【図４】
2012065756.tif 000006
【図５】
2012065756.tif 000007
【図６】
2012065756.tif 000008
【図７】
2012065756.tif 000009
【図８】
2012065756.tif 000010
【図９】
2012065756.tif 000011
【図１０】
2012065756.tif 000012
【図１１】
2012065756.tif 000013
【図１２】
2012065756.tif 000014